(57)【要約】【課題】導線をより安定した状態で支持することができるリード線支持装置を提供する。【解決手段】蛍光管からその長さ方向に延びるリード線を、リード線を両サイドから挟み込む対向位置にてリード線の軸方向に沿って千鳥状に配置された少なくとも３つの支持体によって挟み込んで支持する。【選択図】図８
2008204656.tif 000002
【特許請求の範囲】
【請求項１】
蛍光管からその長さ方向に延びるリード線を、該リード線を両サイドから挟み込む対向位置にて該リード線の軸方向に沿って千鳥状に配置された少なくとも３つの支持体によって挟み込んで支持することを特徴とするリード線支持装置。
【請求項２】
前記少なくとも３つの支持体のうち少なくとも１つの支持体は前記リード線側に変位するよう可動状態で設けられており、残りの支持体は前記リード線に対して固定状態で設けられている請求項１に記載の装置。
【請求項３】
前記少なくとも１つの支持体は、前記残りの支持体とともに、蓋体によって開閉自在とされたハウジングに設けられており、前記ハウジングが前記蓋体によって閉じられたとき、前記ハウジングから突出する前記少なくとも１つの支持体の一部が前記蓋体と接触し、該接触を通じて前記少なくとも１つの支持体を前記リード線側に変位させて前記少なくとも１つの支持体と前記残りの支持体との間で前記リード線を固定する請求項２に記載の装置。
【請求項４】
前記少なくとも１つの支持体は、前記リード線側に存在する第一の部分と、前記第一の部分と連続状態で設けられ、折返部を利用して前記リード線から離れる側に折り返されて前記第一の部分を介して前記リード線と対向配置された第二の部分とを有し、前記第二の部分が、前記ハウジングから突出する前記少なくとも１つの支持体の一部として使用される請求項３に記載の装置。
【請求項５】
前記支持体は、前記リード線との接触側に面を有する支持板として形成されている請求項１乃至４のいずれかに記載の装置。
【請求項６】
前記支持板は、１枚の金属板を打ち抜き、折り曲げによって形成されている請求項５に記載の装置。
【発明の詳細な説明】
【技術分野】
【０００１】
本発明は、例えば、液晶表示装置のバックライトとして使用される蛍光管のリード線を支持するリード線支持装置に関する。
【背景技術】
【０００２】
テレビジョン受像機などの液晶表示装置（液晶ディスプレイ）のバックライトの光源には、熱陰極管（ＨＣＦＬ）や冷陰極管（ＣＣＦＬ）などの蛍光管（線状光源）が複数配列されている。これらの各蛍光管は、その両端に導線（リード線）を有し、蛍光管用コネクタ装置を用いて、これらの導線に電源供給線が直接または間接に接続され、バックライト背面板などの基板に支持されるようになっている。
【０００３】
図１０、１１に、特開２００５−２５９３７０号公報に開示された従来の蛍光管用コネクタ装置２０１の一例を示す。図１０は、この従来例に示された蛍光管用コネクタ装置２０１の一部を縦断面図で示したもの、図１１は、図１０に示す基板２０２と端子２０７だけを示した斜視図である。この蛍光管用コネクタ装置２０１は、蛍光管２０３を支持し、或いは、蛍光管２０３に電源を供給する働きを有し、主に、端子２０７と、ハウジング２０４と、これら端子２０７とハウジング２０４に対して回動可能なアクチュエータ２０５を備える。端子２０７は、蛍光管２０３の導線２１８を挟持する接点部２１０を有し、この接点部２１０は、アクチュエータ２０５の開閉動作に連動して導線２１８を導入可能な開状態と、導線２１８を挟持する閉状態と、をとることができるように構成されている。
【０００４】
【特許文献１】特開２００５−２５９３７０号公報
【発明の開示】
【発明が解決しようとする課題】
【０００５】
しかしながら、この従来例に開示されたコネクタでは、蛍光管２０３の導線２１８を導線の両サイドから挟み込んで支持する構造が採用されているため、導線に過度な挟持力が加わりやすく、また、導線２１８を挟持する接点部２１０は、導線２１８との衝突面として板状体の破断面を利用するものであることから、特に径が小さい（例えば、φ０．３〜０．８ｍｍ程度の）導線においては切断される虞があった。更に、バックライトの使用時には、蛍光管から発せられる熱により蛍光管自体が伸縮することがあるため、導線の被挟持部には伸縮に伴う応力が加わりやすく、この結果、切断される虞も大きなものとなっていた。
【０００６】
本願発明は、これらの従来技術における問題点を解決するためになされたものであり、導線をより安定した状態で支持することができるリード線支持装置を提供することを目的とする。
【課題を解決するための手段】
【０００７】
本発明の一つの態様によれば、蛍光管からその長さ方向に延びるリード線を、該リード線を両サイドから挟み込む対向位置にて該リード線の軸方向に沿って千鳥状に配置された少なくとも３つの支持体によって挟み込んで支持することを特徴とするリード線支持装置が提供される。
【０００８】
上記装置において、前記少なくとも３つの支持体のうち少なくとも１つの支持体は前記リード線側に変位するよう可動状態で設けられており、残りの支持体は前記リード線に対して固定状態で設けられていてもよい。
【０００９】
また、上記装置において、前記少なくとも１つの支持体は、前記残りの支持体とともに、蓋体によって開閉自在とされたハウジングに設けられており、前記ハウジングが前記蓋体によって閉じられたとき、前記ハウジングから突出する前記少なくとも１つの支持体の一部が前記蓋体と接触し、該接触を通じて前記少なくとも１つの支持体を前記リード線側に変位させて前記少なくとも１つの支持体と前記残りの支持体との間で前記リード線を固定するようになっていてもよい。
【００１０】
更に、上記装置において、前記少なくとも１つの支持体は、前記リード線側に存在する第一の部分と、前記第一の部分と連続状態で設けられ、折返部を利用して前記リード線から離れる側に折り返されて前記第一の部分を介して前記リード線と対向配置された第二の部分とを有し、前記第二の部分が、前記ハウジングから突出する前記少なくとも１つの支持体の一部として使用されてもよい。
【００１１】
更にまた、上記装置において、前記支持体は、前記リード線との接触側に面を有する支持板として形成されていてもよい。
【００１２】
また、上記装置において、前記支持板は、１枚の金属板を打ち抜き、折り曲げによって形成されていてもよい。
【発明を実施するための最良の形態】
【００１３】
以下、添付図面を参照して、本発明の好適な一実施形態による蛍光管用コネクタ装置の一例を説明する。
【００１４】
図１は、本発明による蛍光管用コネクタ装置１の使用状態の一例を簡略化した形で示す図であって、本発明による蛍光管用コネクタ装置１を、その周辺部材とともに、その斜め前方から水平方向に見たときの概略斜視図を示す。図に示す蛍光管用コネクタ装置１を使用することにより、所定長さを有する蛍光管２の一方の側を、バックライト背面板３の一方の板面側において、バックライト背面板３から離間させた状態で配置するとともに、蛍光管用コネクタ１を通じて、バックライト背面板３のもう一方の板面側に取り付けたインバータ基板４から蛍光管２へ信号を伝達させ、或いは、そこへ電気を供給することができる。尚、図面簡略化のため、図１には、蛍光管２や蛍光管用コネクタ装置１を１つしか示していないが、実際の使用の際には、蛍光管２の長さ方向（図示矢印「ア」方向）において、蛍光管２の各端部に蛍光管用コネクタ装置１がそれぞれ配置され、また、これら蛍光管２と各端部に設けた２つの蛍光管用コネクタ装置を１つの組みとして、それらの組みが複数並列に配列されていると考えてよい。これにより、どのような大きさの大画面テレビ等のバックライトをもサポートすることができる。
【００１５】
蛍光管用コネクタ装置１は、左右対称形状を成し、主に、固定ハウジング７０、可動ハウジング４０、蓋体１０、及び端子９０の４つの部分から成る。固定ハウジング７０は、バックライト背面板３の穴（図示されていない）を貫通させ、そこに係止させた状態で使用される。固定ハウジング７０の下部には、インバータ基板４を着脱自在に取り付けることができる。一方、固定ハウジング７０の上部には、蓋体１０と協働して蛍光管２を蛍光管用コネクタ装置１に支持、固定する可動ハウジング４０が設けられている。端子９０は、これら可動ハウジング４０と固定ハウジング７０の両者を貫通した状態で蛍光管用コネクタ装置１の内部に設けられており、その一部（９１）において蛍光管２の中心付近から長さ方向「ア」に延びるリード線（５）を支持、固定する（後述する図６等によく示されている）。可動ハウジング４０に固定された蛍光管２は、例えば、蛍光管２に発生した熱の影響等により膨張し、長さ方向「ア」に沿ってその長さを変化させることがある。この長さの変化は、蛍光管２の根元付近、特に、蛍光管２のリード線（５）と端子９０との間の接続状態に、好ましくない影響を与える。この長さの変化を許容するため、可動ハウジング４０は、固定ハウジング７０に対して、蛍光管２の長さ方向「ア」に沿ってスライド移動可能な状態で設けてある。蓋体１０は、可動ハウジング４０に蓋をするような形で、可動ハウジング４０に対して開閉自在に設けられており、特に閉状態とされたときに、蛍光管２のリード線（５）を端子９０に固定させる働きを有する。通常、蓋体１０は、蛍光管２の取り付け前にのみ開状態とされ、取り付け後は閉状態のままとされる。蛍光管用コネクタ装置１を一旦組み立てた後に蓋体１０を開状態とする必要が生じるのは、例えば、蛍光管２の交換時等、限られた場合のみと考えてよい。
【００１６】
図２、図３に、蓋体１０が開状態とされた蛍光管用コネクタ装置１の正面図と側面図を、また、図４、図５に、蓋体が開状態とされた蛍光管用コネクタ装置の図３のＡ−Ａ線断面図と図２のＢ−Ｂ線断面図を、更に、図６、図７に、蓋体が閉状態とされた蛍光管用コネクタ装置の図４に対応する断面図と図５に対応する断面図を、それぞれ示す。尚、便宜上、図６には、蛍光管用コネクタ装置１の他、蛍光管２から延びるリード線５を、図７には、蛍光管２を、それぞれ示している。
【００１７】
可動ハウジング４０は、平板状のベース部４２と、ベース部４２の左右各側面から固定ハウジング７０側に延びた、可動ハウジング４０と固定ハウジング７０とを係止させるための一対の板部６０と、ベース部４２の前側上部に設けた蛍光管２を支持するために上部４３が半円状に切られた支持台４４と、ベース部４２の後側上部に設けた蓋を載置するための蓋載置台４５と、蓋載置台４５を挟み込むように左右それぞれに対向配置された一対の係止片４７と、係止片４７と対にして使用され、係止片４７よりも長さ方向「ア」に沿って後側に配置された軸受４９から成る。
【００１８】
板部６０の各内壁下側、即ち、固定ハウジング７０側には、固定ハウジング７０の一部（対応スライド係合部７５）と係止させることができる一対のスライド係止突起６１が、長さ方向「ア」に沿って対向配置してある。これらスライド係止突起６１と固定ハウジング７０の一部（対応スライド係合部７５）とを係止させることにより、可動ハウジング４０は固定ハウジング７０にスライド可能な状態で簡単に取り付けできる。
【００１９】
蓋載置台４５の前側には、端子９０のリード支持固定部９１が一部露出状態で配置される端子支持部５４が、上方に延びるように設けてある。この端子支持部５４には、左右を仕切る中央壁５５と左右の２つの側壁５６が含まれ、これら中央壁５５と各側壁５６との間に蛍光管２のリード線５が貫通される２箇所の通路５７が形成されている。図２によく示されているように、蓋体１０が開状態にあるとき、特に長さ方向「ア」において、端子９０の一部（図２の１００）が、通路５７において側壁５６の内側５８から僅かに突出した状態とされ、更に、端子９０の一部（図２の中間折曲部９７Ａ、中間折曲部９７Ｂ付近）が、側壁５６の各外壁５９から多少突出した状態とされる。特に、後者の突出部は、後述するように、蓋体１０との協働作用によって、リード線５を支持、固定するために重要である。蓋載置台４５の後側には、蓋体１０が載置される平坦面５２が形成してある。この平坦面５２に載置された蓋体１０の軸１５（図１、図３等）が回動可能に枢支される穴５０が軸受４９に設けられている。係止片４７には、軸受４９等を利用して回動された蓋体１０が閉状態とされたときに、蓋体１０の係止部２０と係止され得る係止穴４８が設けてある。
【００２０】
蓋体１０は、前面と底面で開放され、左右側面１１、上面１２、及び背面１３で閉じた、略箱状体とされている。側面１１の背面側底部付近の左右対向側には、外方に突出した２本の軸１５が設けられており、角を丸めた蓋体１０の底側エッジ部１８を可動ハウジング４０の平坦面５２上に支持した状態で、これらの軸１５を可動ハウジング４０の軸受４９の穴５０によって枢支させることにより、蓋体１０は、図示矢印「イ」方向において、約９０度回動可能とされている。更に、閉じた蓋体１０を可動ハウジング４０に係止するため、側面１１の前側底部付近の左右対向側に、外方に突出した２個の係止部２０が設けてある。これら係止部２０を係止片４７の係止穴４８の上部付近で押し込んで係止させることにより、蓋体１０は可動ハウジング４０に対して閉状態で保持される。尚、可動ハウジング４０を蓋体１０によって閉じる際に、蓋体１０の係止部２０が可動ハウジング４０の係止穴４８にスムーズに案内されるよう、係止部２０やその周辺部にテーパー２１を切っておいてもよい。更に、蓋体１０の開操作を容易にするため、側面１１の上部対向側に外側に張り出す引っ掛け部１７を設けておいてもよい。これらの引っ掛け部１７に手の爪を引っ掛ける等して蓋体１０の開閉操作を容易にできる。
【００２１】
固定ハウジング７０は、板状のベース部８０と、可動ハウジング４０を載置するためにベース部８０から上部に突出して設けた可動ハウジング載置部８２と、固定ハウジング７０を背面板バックライト背面板３（図１参照）に固定するために前側底部に設けた弾性固定片８４と、インバータ基板４を挿入固定し端子９０を挿入固定するために後側底部に設けた箱状の基板収容部８６から成る。
【００２２】
図１で明らかにしたように、ベース部８０の底面８１より下側は、バックライト背面板３の穴に挿入される部分であり、その他の部分は、バックライト背面板３の上部に現れる部分である。左右対向位置に対称配置された弾性固定片８４は、互いに距離を狭める方向（図示矢印「カ」方向）に弾性変位可能であって、変位状態でバックライト背面板３の穴に挿入された後、図示状態に復帰することにより、係合部８５にてバックライト背面板３の穴の縁にパチン止めされる。基板収容部８６は、バックライト背面板３の穴と略同じ横幅（弾性固定片８４の弾性変位方向における幅）を有し、図１に示した状態になるよう、インバータ基板４が前方（紙面垂直方向）から挿入支持され得る基板挿入口７１を有する。また、基板収容部８６には、図４等に示されるように、端子９０を挿入するために中央壁７２によって仕切られた２つの縦穴７３が、可動ハウジング載置部８２やベース部８０を貫通した状態で、所定の深さで上方から底部に向かって設けてある。組立時には、これら縦穴７３に端子９０の一部を挿入し、そこに圧入固定することができる。可動ハウジング４０をスライド可能に設置するため、可動ハウジング載置部８２の左右側壁には、可動ハウジング４０に設けた内方に突出するスライド係止突起６１に対応して、外方に突出する対応スライド係合部７５が長さ方向「ア」に沿って対向配置されており、また、ベース部８０の上面には、板部６０の縁がスライドし得る溝８３が設けられている。固定ハウジング７０に対する可動ハウジング４０のスライド量は、図５、図７に示されるスライド方向、即ち、長さ方向「ア」における、可動ハウジング載置部８２の内壁（７８）間距離「サ」と、可動ハウジング４０の底面から固定ハウジング７０側に多少突出した状態で設けた規制凸部６３の外面（６４）間距離「シ」との関係によって規制される。即ち、可動ハウジング載置部８２の内壁間距離「サ」は、可動ハウジング４０の外面間距離「シ」よりも大きく設定されており、この結果、可動ハウジング４０は固定ハウジング７０に対して、「サ」−「シ」の距離だけスライド移動可能である。別言すれば、スライド量は、規制凸部６３の外面６４が、この凸部６３が挿入される可動ハウジング載置部８２の縦穴７３の内壁７８と衝突することによって規制される。
【００２３】
図８に、蛍光管用コネクタ装置１の内部に設けた端子９０をリード線５の一部とともに斜視図で示す。端子９０は、この図に示す配置（状態）で蛍光管用コネクタ装置１の内部に配置されていると考えてよい。ここでは、端子９０は、互いに対称形状を成す２つ（端子９０Ａ、９０Ｂ）の端子の組で形成してある。但し、これらの２つの端子９０Ａ、９０Ｂは、互いに離した状態で配置されており、蛍光管用コネクタ装置１の内部においても、互いに電気的にも、物理的にも接続されていない。従って、図１に示した蛍光管用コネクタ装置１の２つの端子９０Ａ、９０Ｂは、それぞれが別々の信号又は電源を伝達するために使用されるものであり、この意味で、図１に示したコネクタ装置は、いわゆる２極タイプのコネクタ装置ということができる。勿論、端子を１つとして、或いは、端子９０Ａと９０Ｂを互いに接続するようにして１極タイプとすることもできる。これら端子９０Ａ、９０Ｂは対称形状を成し、実質的には同一構造を有するものであるから、以下、特に必要でない限り、Ａ、Ｂの文字を付記せず、単に「９０」の参照番号を付して説明する。
【００２４】
端子９０は、主に、上から順に、リード支持固定部９１、伸縮吸収部１１０、固定部１２０、基板接触部１３０の４つの部分から成る。リード支持固定部９１は、少なくとも片側の略全ての側面１４０を露出させた状態で、また、一部（中間折曲部９７）を可動ハウジング４０の端子支持部５４や側壁５６から突出させた状態で、可動ハウジング４０に配置される。一方、固定部１２０は、固定ハウジング７０の内部に外部から覆い隠された状態で水平及び垂直方向にて固定される。また、伸縮吸収部１１０は、リード支持固定部９１と固定部１２０の間に位置付けられて、可動ハウジング４０と固定ハウジング７０の隙間６５に、これら可動ハウジング４０と固定ハウジング７０によって外部から覆い隠された状態で蛍光管と平行となる方向に配置される。更に、基板接触部１３０は、固定ハウジング７０の基板挿入口７１から一部を露出させた状態で固定ハウジング７０に配置される。これらの部分は、いずれも、１枚の金属板を打ち抜き、折り曲げることによって形成されており、金属板のロール面によって形成された比較的幅広の滑らかな面を有し、これらの滑らかな面をリード線５との接触側に使用するものとしている。従って、端子９０によってリード線５を固定した後に、この端子９０によってリード線５が切断されてしまう危険は小さい。更に、これらの部分は、連続状態で設けられているため、別部材を接続させる構造に比して電気信号を確実に伝達することができる。
【００２５】
特に、最上部に配したリード支持固定部９１は、蓋体１０との協働作用によって蛍光管２のリード線５を支持、固定するための部分として重要である。リード支持固定部９１は、主に、固定支持板９２、固定支持板９３、可動支持板９４の３つの部分から成っており、それらの下端部９５にて互いに接続されている。固定支持板９２、固定支持板９３は、可動ハウジング４０の中央壁５５に設けた窪み６６（図４、図６等）に埋め込まれて固定状態で立設配置される。一方、可動支持板９４は、長さ方向「ア」において、固定支持板９２、固定支持板９３の中間に位置付けられ、また、長さ方向「ア」と直交する方向において、可動ハウジング４０の側壁５６の内部（図４、図６等）にて可動状態とされている。可動支持板９４を、長さ方向「ア」に沿って、固定支持板９２、固定支持板９３の中間に位置付けたことにより、これら固定支持板９２、固定支持板９３、可動支持板９４は、リード線５の軸方向に沿って千鳥状に対向配置される。この結果、固定支持板９２及び固定支持板９３と、可動支持板９４と、の間には、リード線５をその両サイドから挟み込むことができる谷部９９が形成される。リード線５は、この谷部９９において、これら３つの部分によって３つの支点で平面的に安定して支持される。
【００２６】
可動支持板９４は、リード線５側に存在する立設部１０１と、この立設部１０１の上端付近においてリード線５から離れる側（外側）に折り返された上部折返部９６と、この上部折返部９６によって折り返された部分の中間付近においてリード線５側（内側）に折り返されて立設部１０１を介してリード線５と対向配置された中間折曲部９７と、更に、この中間折曲部９７によって折り曲げられた先端付近において再び外側に折り曲げられて、中間折曲部９７と同様に立設部１０１を介してリード線５と対向配置された先端折曲部９８から成る。可動支持板９４は、全体としては可動ハウジング４０の側壁５６の内部に配置されているが、図２を参照して説明したように、蓋体１０が開状態にあるとき、長さ方向「ア」において、端子９０の一部（図２の１００）が、通路５７において側壁５６の内側５８から僅かに突出した状態とされ、更に、端子９０の一部（図２の中間折曲部９７Ａ、中間折曲部９７Ｂ付近）が、側壁５６の各外壁５９から多少突出した状態とされる。この結果、例えば、図５と図７を比較参照すれば明らかなように、蓋体１０が閉じられたとき、中間折曲部９７（リード支持固定部９１）の側面１４０付近が、閉じられつつある蓋体１０の内壁２２によって挟み込まれた状態で衝突し、これにより、可動支持板９４は内方（図４、図６の図示矢印「エ」方向）に押し込まれて、リード線５側に変位する。更に、この変位により、上部折返部９６を介して可動支持板９４に接続された立設部１０１が、上部折返部９６の運動に応答して、或いは、可動支持板９４の先端付近に設けた先端折曲部９８が、立設部１０１と接触することにより、立設部１０１は、リード線５側に変位し、固定支持板９２、固定支持板９３と、立設部１０１（可動支持板９４）との間に形成された、リード線５を支持する谷部９９の隙間が弾性的に狭まり、谷部９９に支持したリード線５はそこで挟持、固定されることになる。尚、リード線５を支持、固定する位置は、谷部９９の下部からその上部にわたるいずれの位置であってもよい。いずれの位置であっても、可動状態とされた可動支持板９４の弾性作用の働きによって、蛍光管２を確実に固定できる。更に、谷部９９に挿入されたリード線５が多少変形している場合であっても、可動支持板９４の弾性作用によって、このような変形を許容して、リード線５はそこに確実に固定され得る。尚、任意であるが、蓋体側面１１の前側底部の左右対向側に、底側に向かって先細になるようにテーパー２４を切った、突出した案内部２３を設けてもよい。中間折曲部９７の側面１４０と同方向に傾斜したテーパー２４を設けることにより、蓋体１０の内壁２２と中間折曲部９７（リード支持固定部９１）の側面１４０との衝突（可動支持板９４の内方（図４、図６の図示矢印「エ」方向）への変位）をスムーズに行わせることができる。即ち、テーパー２４の働きにより、案内部２３は、これと同方向に傾斜した中間折曲部９７の側面１４０上をスムーズに滑りつつ、端子支持部５４、５６の内包に押し込んで、端子支持部５４、５６の外壁５９を挟持できる。
【００２７】
可動ハウジング４０に固定された蛍光管２が熱膨張等によって長さ方向「ア」における長さを変化させた場合、この蛍光管２を支持するリード支持固定部９１が固定された可動ハウジング４０は、固定部１２０や基板接触部１３０が固定された固定ハウジング７０に対してスライド移動するが、この結果、リード支持固定部９１と固定部１２０や基板接触部１３０との間の相対距離に変化が生じる。長さ方向「ア」に沿って伸縮自在とした伸縮吸収部１１０を設けることにより、このような相対距離の変化は許容される。図８に示されるように、伸縮吸収部１１０の一方の端部１４１は、長さ方向「ア」の紙面奥においてリード支持固定部９１の下端部９５に、もう一方の端部１４２は、長さ方向「ア」の紙面手前において固定部１２０に、それぞれ接続されている。伸縮吸収部１１０は全体としてジャバラ形状とされており、このような形状を利用して、リード支持固定部９１と固定部１２０や基板接触部１３０との間の相対距離の変化を吸収し、許容できるようにしてある。尚、伸縮吸収部１１０は、必ずしもジャバラ形状とする必要はなく、リード支持固定部９１と固定部１２０の相対距離の変化を吸収することができるような形状であれば足りる。例えば、特に図示しないが巻コイルのような形状としてもよい。
【００２８】
固定部１２０は、長さ方向「ア」に広がる幅広部分を有した板状体であり、底側付近の折曲部１４６で折り曲られることによって、垂直板部１４４と水平板部１４５に分けられている。垂直板部１４４は、固定ハウジング７０の縦穴７３の内壁８７に接触させた状態で圧入固定され、水平板部１４５は、固定ハウジング７０の縦穴７３の内底に接触させた状態で配置される。垂直板部１４４を圧入固定するため、例えば、内壁８７から離れる方向（内方）に立ち上がりと、更に、この立ち上がりから連続した状態で内壁８７と並行に延びる部分とを有することによって、Ｌ部８９が形成されている。このＬ部８９によって、内壁８７との間に固定部１２０を圧入するための隙間７６（図４、図６）を形成し、この隙間７６に、垂直板部１４４の圧入突起１４７を利用して垂直板部１４４を圧入することにより、固定部１２０は、内壁８７に密着させた状態で縦穴７３に固定され得る。
【００２９】
基板接触部１３０は、固定部１２０の下部に位置し、インバータ基板４を端子９０に接続するために使用される。インバータ基板４の所定部分（図示されていない）を所定の力で支持できるよう、それらの先端付近を内方に向かって軽く折り曲げることにより接触片１３１が形成してある。固定ハウジング７０の下部に設けた基板挿入口７１からインバータ基板４が挿入されたとき、接触片１３１はインバータ基板４と接触することによって変位し、所定の力でインバータ基板４に接触し得る。
【００３０】
最後に、図９を参照して、端子の他の実施形態を説明する。便宜上、他の実施形態に係る端子９０’については、端子９０と同様の部材には同じ参照番号に「’」を付して示す。図９は、この他の実施形態に係る端子９０’の外観斜視図を、図８と同様の方法で示したものである。ここでは、端子は１つのみ設けられており（対称形状とした端子は存在せず）、従って、端子９０’はいわゆる１極タイプのコネクタ装置用のものということができる。ただし、上と同様の形態とすることによって、２極タイプとすることもできる。図９から明らかなように、上の実施形態との本質的な相違点は２つある。１つは、伸縮吸収部１１０’が水平方向ではなく垂直方向に配置されている点であり、もう１つは、固定支持板（図８の固定支持板９２、９３）として形成していた部材が可動支持板９４’（図８の可動支持板９４）と同様の可動支持板９４Ｃ’、可動支持板９４Ｄ’として形成されている点である。尚、前者の点と後者の点の間に直接の関連はない。前者の点に関して、伸縮吸収部１１０’を水平方向から垂直方向に変形させたことに伴い、図９に示す実施形態では、図８に示した実施形態における垂直板部１４４が伸縮吸収部１１０’によって置き換えられたものとなっている。この場合であっても、伸縮吸収部１１０’は、リード支持固定部９１’と基板接触部１３０’の相対距離の変化を十分に吸収することができ、また、水平板部１４５’によって固定ハウジング７０への固定を行うことができる。一方、後者の点に関して、図９に示す実施形態では、固定支持板を可動支持板として形成したことにより、蛍光管２を支持、固定する３つの支持点の全てが可動状態とされるため、より柔軟に蛍光管２を支持することができる。特に図示しないが、その他の変形態様として、例えば、図９の可動支持板９４’を固定支持板として形成し、可動支持板９４Ｃ’、可動支持板９４Ｄ’のいずれか一方或いは双方を可動支持板として形成してもよい。少なくとも１つの板状体が可動支持板としていれば、機能は発揮される。従って、その他の変形も可能である。
【図面の簡単な説明】
【００３１】
【図１】本発明による蛍光管用コネクタ装置の使用状態の一例を示す概略斜視図である。
【図２】蓋体が開状態とされた蛍光管用コネクタ装置の正面図である。
【図３】蓋体が開状態とされた蛍光管用コネクタ装置の側面図である。
【図４】蓋体が開状態とされた蛍光管用コネクタ装置の図３のＡ−Ａ線断面図である。
【図５】蓋体が開状態とされた蛍光管用コネクタ装置の図２のＢ−Ｂ線断面図である。
【図６】蓋体が閉状態とされた蛍光管用コネクタ装置の図４に対応する断面図である。
【図７】蓋体が閉状態とされた蛍光管用コネクタ装置の図５に対応する断面図である。
【図８】端子をリード線の一部とともに示した斜視図である。
【図９】端子の別の実施形態を示す斜視図である。
【図１０】従来例に示された蛍光管用コネクタ装置の一部を縦断面図で示す図である。
【図１１】図１０の基板と端子だけを示した斜視図である。
【符号の説明】
【００３２】
１  蛍光管用コネクタ装置
２  蛍光管
３  バックライト背面板
４  インバータ基板
５  リード線
１０  蓋体
１１  側面
１２  上面
１３  背面
１５  軸
１７  引っ掛け部
１８  底側エッジ部
２０  係止部
２１  テーパー
２２  内壁
２３  案内部
２４  テーパー
４０  可動ハウジング
４２  ベース部
４３  上部
４４  支持台
４５  蓋載置台
４７  係止片
４８  係止穴
４９  軸受
５０  穴
５２  平坦面
５４  端子支持部
５５  中央壁
５６  左右側壁
５７  通路
５８  内側
５９  外壁
６０  板部
６１  スライド係止突起
６３  規制凸部
６４  外面
６５  隙間
６６  窪み
６７  縁
７０  固定ハウジング
７１  基板挿入口
７２  中央壁
７３  縦穴
７５  対応スライド係合部
７６  隙間
７８  内壁
８０  ベース部
８１  底面
８２  可動ハウジング載置部
８３  溝
８４  弾性固定片
８５  係合部
８６  基板収容部
８７  内壁
８９  Ｌ部
９０  端子
９１  リード支持固定部
９２  固定支持板
９３  固定支持板
９４  可動支持板
９５  下端部
９６  上部折返部
９７  中間折曲部
９８  先端折曲部
９９  谷部
１００  基端部
１０１  立設部
１１０  伸縮吸収部
１２０  固定部
１３０  基板接触部
１３１  接触片
１４０  側面
１４１  端部
１４２  端部
１４４  垂直板部
１４５  水平板部
１４６  折曲部
【図１】
2008204656.tif 000003
【図２】
2008204656.tif 000004
【図３】
2008204656.tif 000005
【図４】
2008204656.tif 000006
【図５】
2008204656.tif 000007
【図６】
2008204656.tif 000008
【図７】
2008204656.tif 000009
【図８】
2008204656.tif 000010
【図９】
2008204656.tif 000011
【図１０】
2008204656.tif 000012
【図１１】
2008204656.tif 000013